(57)【要約】【課題】水路形成用カバーを設けて吸込み口を下に形成し、異物を吸込みにくくする水中ポンプを提供する。【解決手段】水中モーター１の上部に水中モーター１により回転する羽根車８が多段に配置された多段式うずまきポンプを備えた、井戸ケーシング３内に配置される井戸用水中ポンプにおいて、うずまきポンプ２の下部のポンプ吸い込み口２７から水中モーター１の底部の井戸水吸い込み口２４までの周囲を水路形成用カバー２３で覆って井戸水吸い込み口２４から吸い込まれた井戸水がポンプ吸い込み口２７へ流入する水路２５を形成する。【選択図】図１
0003113022.tif 000002
【実用新案登録請求の範囲】
【請求項１】
水中モーターの上部に水中モーターにより回転する羽根車が多段に配置された多段式うずまきポンプを備えた、井戸ケーシング内に配置される井戸用水中ポンプにおいて、
うずまきポンプの下部のポンプ吸い込み口から水中モーターの底部の井戸水吸い込み口までの周囲を水路形成用カバーで覆って井戸水吸い込み口から吸い込まれた井戸水がポンプ吸い込み口へ流入する水路を形成したことを特徴とする水中ポンプ。
【請求項２】
前記井戸水吸い込み口を絞った形状にしたことを特徴とする請求項１記載の水中ポンプ。
【請求項３】
前記井戸水吸込み口に配管が接続されていることを特徴とする請求項１又は２記載の水中ポンプ。
【請求項４】
前記井戸水吸込み口にフィルターが取り付けられていることを特徴とする請求項１〜３のいずれか１項に記載の水中ポンプ。
【請求項５】
請求項１のようにモーターの底に吸込み口を設け、モーターの上にポンプを構成することで、揚水される水は必ずモーターの側面を通る。そうすることでモーターの温度上昇を抑制し、絶縁材の劣化を抑え長寿命化を図ることができることを特徴とする請求項１〜４のいずれか１項に記載の水中ポンプ。
【請求項６】
前記水路形成用カバーが着脱できることを特徴とする請求項１〜５のいずれか１項に記載の水中ポンプ。
【考案の詳細な説明】
【技術分野】
【０００１】
本考案は、井戸ケーシング内に配置して水を吸い上げる井戸用水中ポンプに関する。
【背景技術】
【０００２】
井戸水を吸い上げるため、水中に設置する井戸用水中ポンプが利用されている。
【０００３】
図４は従来の井戸用水中ポンプ（以下「水中ポンプ」という。）の全体図で、水中モーター１と、水中モーター１により回転する多段式うずまきポンプ２で構成されている。
【０００４】
図４において、水中ポンプは、水が流入して井戸水が湧出る井戸ケーシング３内に配置される。水中モーター１にポンプ軸４がカップリング５、キー６にて結合されている。ポンプ軸４には羽根車８が複数段取り付けられている。各羽根車８は仕切板９とケーシング１０で囲われている。ポンプ２の上段には、ポンプ軸４のラジアル加重を受ける軸受１１と排気弁１２を持つ吐出ケーシング１３を配置している。
【０００５】
ポンプ２は、外筒１４で覆われていて、外筒１４は水中モーター１に取り付けられている吸込みフレーム１５に固定されており、上部に吐出管受け１７を介して、逆止弁１８を持つ吐出管１９を配置し、ボルト２０にて締付けて固定する。吐出管１９の先端に配管２１が接続される。水中モーター１への電力供給は、ケーブル７にて行う。
【０００６】
この水中ポンプの動作は次のとおりである。
【０００７】
水中モーター１が駆動するとポンプ軸４が回転し、ポンプ軸４に嵌合されている羽根車８も回転し、吸込み口２４より水が吸い込まれる。吸い込まれた水は、吸込みフレーム１５に取り付けられているストレーナ２２を通過しポンプ吸込み口１６よりポンプ内部に入り、複数段の羽根車８と仕切板９、ケーシング１０を通り加圧され、吐出管１９より吐出される。
【考案の開示】
【考案が解決しようとする課題】
【０００８】
従来の水中ポンプのポンプ吸込み口１６は、図４に示すように水中モーター１とポンプ２を接続する部分の側面に形成されている。しかしながら、井戸ケーシング３の流入口近傍に井戸水吸込み口２４が配置されるように水中ポンプ１を設置した場合、砂等の異物２７が吸込まれ易く、異物２７が羽根車８、仕切板９、ケーシング１０にかみ込み、水中モーター１のトラブルを招き易いという問題があった。
【０００９】
そこで、本考案は、水路形成用カバーを設けて吸込み口を下に形成し、異物を吸込みにくくする水中ポンプを提供するものである。
【課題を解決するための手段】
【００１０】
本考案は、水中モーターの上部に水中モーターにより回転する羽根車が多段に配置された多段式うずまきポンプを備えた、井戸ケーシング内に配置される井戸用水中ポンプにおいて、うずまきポンプの下部のポンプ吸い込み口から水中モーターの底部の井戸水吸い込み口までの周囲を水路形成用カバーで覆って井戸水吸い込み口から吸い込まれた井戸水がポンプ吸い込み口へ流入する水路を形成したことを特徴とする。
【考案の効果】
【００１１】
本考案によれば、水の流速が低下し水に混ざっている異物が井戸水吸込み口に入りにくくなる効果がある。また、水路形成用カバーを設けたことで運手中は水中モーターの側面に常に水が流れ、冷却効率が向上し水中モーターの温度上昇を抑制し長寿命化を図ることができる。
【００１２】
また、井戸水吸込み口に配管を接続することにより、流れが緩やかになり異物が井戸水吸込み口に入りにくくなる。
【００１３】
また、井戸水吸込み口にフィルターを取り付けることにより、細かな異物も入りにくくなる。
【考案を実施するための最良の形態】
【００１４】
本考案の実施例について図面を参照しながら説明する。
【実施例１】
【００１５】
図１は本考案の水中ポンプの第１実施例を示す図である。
【００１６】
水中ポンプは、水中モーター１の上部に多段式うずまきポンプ２を備え、井戸ケーシング３内に設置される。水中モーター１にはポンプ軸４がカップリング５、キー６にて結合されている。水中モーター１へはケーブル７にて電力が供給される。
【００１７】
多段式うずまきポンプ２は公知のポンプであり、その構造は次のとおりである。ポンプ軸４には複数段に羽根車８が取り付けられ、それぞれの羽根車８が仕切板９とケーシング１０で囲われている。うずまきポンプ２の上段にはポンプ軸４のラジアル加重を受ける軸受１１と、排気弁１２を持つ吐出ケーシング１３が配置される。うずまきポンプ２は外筒１４で覆われており、外筒１４は水中モーター１に取り付けられている吸込みフレーム１５に固定されており、下部にポンプ吸い込み口１６が設けられ、上部には吐出管受け１７を介して、逆止弁１８を持つ吐出管１９を配置し、ボルト２０にて固定されている。吐出管１９の先端に配管２１が接続される。吸込みフレーム１５にはストレーナ２２が取り付けられている。
【００１８】
うずまきポンプ２の下部のポンプ吸い込み口１６から水中モーター１の底部までの周囲に隙間を開けて水路形成用カバー２３で覆う。水路形成用カバー２３で覆うことにより水中モーター１の底部の井戸水吸い込み口２４から吸い込まれた井戸水をポンプ吸い込み口１６へ流入させる水路２５が形成される。井戸水吸い込み口２４は絞った形状に形成する。水路形成用カバー２３は保守点検し易いように着脱自在とすることが好ましい。
【００１９】
次ぎに、本実施例の水中ポンプの動作について説明する。
【００２０】
水中モーター１が駆動するとポンプ軸４が回転し、ポンプ軸４に取り付けられている羽根車８が回転して水が揚水され始め、水路形成用カバー２３の底先端にある井戸水吸込み口２４より水が吸い込まれる。吸い込まれた水は、水路２５を通り吸込みフレーム１５に取付られているストレーナ２２を通過しポンプ吸込み口１６よりポンプ内部に入り、複数段の羽根車８と仕切板９、ケーシング１０を通り加圧され、吐出管１９より吐出される。
【００２１】
本実施例によれば、井戸ケーシング３より湧き出る水は流れ２６となり、水の流速が低下し水に混ざっている異物２７が井戸水吸込み口２４に入りにくくなる効果がある。
【００２２】
また、揚水される水は必ず水路２５を通るため、水中モーター１の温度上昇を抑制でき、モーター内部絶縁材の劣化を抑え長寿命化を図ることができる。
【実施例２】
【００２３】
図２は本考案の水中ポンプの第２実施例を示す図である。
【００２４】
本実施例では、水路形成用カバー２３の井戸水吸込み口２４にソケット２８を介して吸込み配管２９を接続する。吸込み配管を接続することにより、流れ２９は更に緩やかになり異物２７は井戸水吸込み口２４に入りにくくなる効果がある。
【実施例３】
【００２５】
図３は本考案の水中ポンプの第３実施例を示す図である。
【００２６】
本実施例は、水路形成用カバー２３にフィルター３０を取り付けたものである。これにより細かな異物も入りにくくなる。
【図面の簡単な説明】
【００２７】
【図１】本考案の水中ポンプの第１実施例を示す図である。
【図２】本考案の水中ポンプの第２実施例を示す図である。
【図３】本考案の水中ポンプの第２実施例を示す図である。
【図４】従来の水中ポンプを示す断面図である。
【符号の説明】
【００２８】
１：水中モーター
２：多段式うずまきポンプ
３：井戸ケーシング
４：ポンプ軸
５：カップリング
６：キー
７：ケーブル
８：羽根車
９：仕切板
１０：ケーシング
１１：軸受
１２：排気弁
１３：吐出ケーシング
１４：外筒
１５：吸込みフレーム
１６：ポンプ吸い込み口
１７：吐出管受け
１８：逆止弁
１９：吐出管
２０：ボルト
２１：配管
２２：ストレーナ
２３：水路形成用カバー
２４：井戸水吸い込み口
２５：水路
２６：流れ
２７：異物
２８：ソケット
２９：吸込み配管
３０：フィルター
【図１】
0003113022.tif 000003
【図２】
0003113022.tif 000004
【図３】
0003113022.tif 000005
【図４】
0003113022.tif 000006
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
【実用新案登録請求の範囲】
【請求項１】
水中モーターの上部に水中モーターにより回転する羽根車が多段に配置された多段式うずまきポンプを備えた、井戸ケーシング内に配置される井戸用水中ポンプにおいて、
うずまきポンプの下部のポンプ吸い込み口から水中モーターの底部の井戸水吸い込み口までの周囲を水路形成用カバーで覆って井戸水吸い込み口から吸い込まれた井戸水がポンプ吸い込み口へ流入する水路を形成したことを特徴とする水中ポンプ。
【請求項２】
前記井戸水吸い込み口を絞った形状にしたことを特徴とする請求項１記載の水中ポンプ。
【請求項３】
前記井戸水吸込み口に配管が接続されていることを特徴とする請求項１又は２記載の水中ポンプ。
【請求項４】
前記井戸水吸込み口にフィルターが取り付けられていることを特徴とする請求項１〜３のいずれか１項に記載の水中ポンプ。
【請求項５】
前記水路形成用カバーが着脱できることを特徴とする請求項１〜４のいずれか１項に記載の水中ポンプ。